(57)【特許請求の範囲】
【請求項１】
回転螺旋（３）を有して穀粒を揚穀し、該回転螺旋（３）の外周に選別長孔（１）を有する非回転形態の選別筒（２）を設けた揚穀選別機において、回転螺旋（３）には該回転螺旋（３）とともに回転し選別筒（２）内周面を摺動する弾性板（６）を設け、選別筒（２）には周方向に長い選別長孔（１）を平行状に形成し、この選別筒（２）の外周面には、回転螺旋（３）の回転（Ａ）方向に対する該選別長孔（１）終端部の並び方向にわたって、選別長孔（１）終端（３６）よりも回転（Ａ）方向手前側に向け突状形成の案内部材（２８）を設けたことを特徴とする揚穀選別機。
【請求項２】
前記案内部材（２８）は、各選別長孔（１）終端部の並び方向にわたって長い棒状体に形成したことを特徴とする請求項１に記載の揚穀選別機。
【請求項３】
前記案内部材（２８）は、穀粒を選別筒（２）内側へ案内する傾斜面（２９）を形成したことを特徴とする請求項１、又は２に記載の揚穀選別機。
【請求項４】
前記案内部材（２８）を、弾性体で形成したことを特徴とする請求項１，２、又は３に記載の揚穀選別機。
【発明の詳細な説明】
【技術分野】
【０００１】
この発明は、穀粒を揚穀搬送しながら整粒と屑粒に選別する揚穀選別機に関するもので、効果的な選別孔の目詰り防止を図るものである。
【背景技術】
【０００２】
選別筒の周り方向に沿って選別長孔を形成し、内部に穀粒搬送用の螺旋を設けて、これら選別筒、及び螺旋を上下方向に向けて設定し、螺旋の回転により揚穀しながら選別筒の選別長孔から屑粒等を漏出させて選別する技術（例えば、特許文献１参照）が知られている。
【特許文献１】特開２０００−２６２９７３号公報（第２頁、図１）
【発明の開示】
【発明が解決しようとする課題】
【０００３】
選別長孔を形成した選別筒内で螺旋を回転させて揚穀しながら屑粒を漏出選別する形態、特に選別筒を回転させない揚穀選別機にあっては、選別長孔に穀粒が詰り易い。この詰りを防止するために前記引用文献のように選別長孔の終端部を大きく開孔させる技術があるが、この選別長孔の加工技術が難しく、高価な生産費を要する。
【課題を解決するための手段】
【０００４】
請求項１に記載の発明は、回転螺旋３を有して穀粒を揚穀し、該回転螺旋３の外周に選別長孔１を有する非回転形態の選別筒２を設けた揚穀選別機において、回転螺旋（３）には該回転螺旋（３）とともに回転し選別筒（２）内周面を摺動する弾性板（６）を設け、選別筒（２）には周方向に長い選別長孔（１）を平行状に形成し、この選別筒（２）の外周面には、回転螺旋（３）の回転（Ａ）方向に対する該選別長孔（１）終端部の並び方向にわたって、選別長孔（１）終端（３６）よりも回転（Ａ）方向手前側に向け突状形成の案内部材（２８）を設けたことを特徴とする揚穀選別機の構成とする。螺旋３の回転と弾性板６の摺動によって揚穀される穀粒が選別筒２の内周面に沿って上昇される間に、この選別筒２の周り方向に沿って長く形成される選別長孔１に嵌合して、この選別長孔１に沿って移動する間に屑粒が外周へ漏出する。この漏出しない穀粒は、選別長孔１の終端部において案内部材２８に受け止められて、この案内部材２８による押圧力によって選別長孔１から外れて内側へ移動されて、目詰り状態を解消する。又、案内部材２８を選別筒２の外周面に形成するため、螺旋３の回転する選別筒２の内径を小さくすることができ、案内部材２８の取付形成を簡単、容易にすることができる。
【０００５】
請求項２に記載の発明は、前記案内部材２８は、各選別長孔１終端部の並び方向にわたって長い棒状体に形成したことを特徴とする揚穀選別機である。前記のように目詰り防止する案内部材２８を、棒状体に形成するため、構成を簡単化することができ、この選別長孔１に沿って移動される穀粒を受けて案内する案内部材２８の断面形状等を適宜形態に設定し易く、選別筒２の生産を容易化する。
【０００６】
請求項３に記載の発明は、前記案内部材２８は、穀粒を選別筒２内側へ案内する傾斜面２９を形成したことを特徴とする揚穀選別機である。前記のように揚穀選別中の穀粒が選別長孔１に嵌合案内されて、終端部の案内部材２８の傾斜面２９に押圧されると、この傾斜面２９に案内されて選別筒２の内側へ移動され、選別長孔１に対する嵌合、目詰り状態が外される。
【０００７】
請求項４に記載の発明は、前記案内部材２８を、弾性体で形成したことを特徴とする揚穀選別機である。前記のように選別筒２を揚穀される穀粒の一部が、この選別筒２の内周面に沿って移動される間に、選別長孔１に嵌合案内される小粒径の屑米等は、この選別長孔１から外側へ漏出されるが、この外側へ漏出されない穀粒は、選別長孔１の終端部へ移動案内されて案内部材２８に係止される。この案内部材２８は、ゴム材の如き弾性体によって構成されているため、係止押圧力によって移動、乃至揺動し易い状態にあり、選別長孔１から外れ易い。
【発明の効果】
【０００８】
請求項１に記載の発明は、選別長孔１を形成する選別筒２の外周面に案内部材２８を設けるため、構成を簡単に、取付を容易にすることができ、選別長孔１に案内されて移動される穀粒を係止して、この選別長孔１から外し、目詰りを解除することができる。
請求項２に記載の発明は、前記案内部材２８を長い棒状体に形成するため、構成を簡単にして、取付を容易に行うことができる。
請求項３に記載の発明は、前記選別長孔１に嵌合して移動される穀粒を係止する案内部材２８に傾斜面２９を形成するため、この傾斜面２９によって選別長孔１の内側へ外れるように移動案内されて、目詰り状態を解消することができ、構成を簡単にすることができる。
請求項４に記載の発明は、前記選別長孔１の終端部に移動案内される穀粒は、弾性体からなる案内部材２８によって係止されるため、この弾性によって係止穀粒を移動させて、選別長孔１から外し易くして、目詰りを防止することができ、構成を簡単化して、穀粒の損傷を少なくすることができる。
【発明を実施するための最良の形態】
【０００９】
図例に基づいて、揚穀選別機７は、穀粒搬送用の回転螺旋３を内装する選別筒２と、この下端部にあって螺旋３の軸８を連結して回転する電動モータ９、これらを床面に支持するスタンド１０、及び、選別筒２の下端部に穀粒を供給する供給ホッパー１１、選別筒２の選別長孔１から漏出される屑粒を取出す屑粒シュータ１２、この選別筒２の上端部へ残留搬送された整粒を取出す整粒シュータ１３等を主体として構成される。このような揚穀選別機７は、螺旋３の回転によって、供給ホッパー１１に供給した穀粒を選別筒２内上方へ搬送しながら、屑粒を選別筒２の選別長孔１から外周へ漏出させ、整粒を上端の整粒シュータ１３から漏出するものであり、例えば、籾摺機から取出される玄米を受けて選別する玄米選別機１４を一次選別機とすれば、この玄米選別機１４から取出される一次選別機の小米、屑米混じりの玄米の供給を受けて再度選別する二次選別機として使用することも可能である。
【００１０】
ここにおいて、この発明に係る揚穀選別機は、回転螺旋３を有して穀粒を揚穀し、該回転螺旋３の外周に選別長孔１を有する非回転形態の選別筒２を設けた揚穀選別機において、回転螺旋（３）には該回転螺旋（３）とともに回転し選別筒（２）内周面を摺動する弾性板（６）を設け、選別筒（２）には周方向に長い選別長孔（１）を平行状に形成し、この選別筒（２）の外周面には、回転螺旋（３）の回転（Ａ）方向に対する該選別長孔（１）終端部の並び方向にわたって、選別長孔（１）終端（３６）よりも回転（Ａ）方向手前側に向け突状形成の案内部材（２８）を設けたことを特徴とする揚穀選別機の構成とする。螺旋３の回転と弾性板６の摺動によって揚穀される穀粒が選別筒２の内周面に沿って上昇される間に、この選別筒２の周り方向に沿って長く形成される選別長孔１に嵌合して、この選別長孔１に沿って移動する間に屑粒が外周へ漏出する。この漏出しない穀粒は、選別長孔１の終端部において案内部材２８に受け止められて、この案内部材２８による押圧力によって選別長孔１から外れて内側へ移動されて、目詰り状態を解消する。又、案内部材２８を選別筒２の外周面に形成するため、螺旋３の回転する選別筒２の内径を小さくすることができ、案内部材２８の取付形成を簡単、容易にすることができる。
【００１１】
又、前記案内部材２８は、各選別長孔１終端部の並び方向にわたって長い棒状体に形成したことを特徴とする揚穀選別機である。前記のように目詰り防止する案内部材２８を、棒状体に形成するため、構成を簡単化することができ、この選別長孔１に沿って移動される穀粒を受けて案内する案内部材２８の断面形状等を適宜形態に設定し易く、選別筒２の生産を容易化する。
【００１２】
又、前記案内部材２８は、穀粒を選別筒２内側へ案内する傾斜面２９を形成したことを特徴とする揚穀選別機である。前記のように揚穀選別中の穀粒が選別長孔１に嵌合案内されて、終端部の案内部材２８の傾斜面２９に押圧されると、この傾斜面２９に案内されて選別筒２の内側へ移動され、選別長孔１に対する嵌合、目詰り状態が外される。
【００１３】
又、前記案内部材２８を、弾性体で形成したことを特徴とする揚穀選別機である。前記のように選別筒２内を揚穀される穀粒の一部が、この選別筒２の内周面に沿って移動される間に、選別長孔１に嵌合案内される小粒径の屑米等は、この選別長孔１から外側へ漏出されるが、この外側へ漏出されない穀粒は、選別長孔１の終端部へ移動案内されて案内部材２８に当接される。この案内部材２８は、ゴム材の如き弾性体によって構成されているため、当接押圧力によって移動、乃至揺動し易い状態にあり、選別長孔１から外れ易い。
【００１４】
前記螺旋軸８の上・下両端部は、上・下メタル１５，１６にベアリング等を介して回転自在に軸受けし、これら上・下メタル１５，１６間にわたって、左右二つ割形態（半円筒形態）の半筒２Ａ，２Ｂの接合縁１７を重合接合して、内部を円筒形状とする選別筒２の上下両端部を支持させて構成する。これら半筒２Ａ，２Ｂの接合縁１７相互間はボルト穴２５に挿通するボルト、ナット２０によって締付けて固定することができる。この選別筒２は円周方向に沿う凹凸条１８，１９が形成されて、この選別筒２の内周面の凹条部１８底面部に沿って細長い選別長孔１を並列させて形成している。
【００１５】
螺旋３は、螺旋軸８方向に沿って一定のピッチで螺曲形成されて、この螺旋３軸８の回転Ａによって、穀粒をこの螺旋３の搬送面で掬い上げるようにして搬送Ｂすることができる。これら選別筒２の内周面と螺旋３の回転面との間は適宜の間隔部Ｃを形成する。前記弾性板６は、略平行四辺形状に形成して、螺旋３のピッチ間隔よりも短く（例えば１/２ピッチ）している。螺旋３の搬送面（上側面）とは反対（下側面）側に螺旋軸８方向に沿って一体構成の取付ラグ２１を設け、この取付ラグ２１に弾性板６を重合させてリベット２２で固定してある。この取付ラグ２１は、螺旋軸８の外周に放射方向線Ｄに対して後退角Ｅを有するように傾斜させて設け、従って、これに重合させて取付ける弾性板６も同様に傾斜の板面４を形成する。この取付ラグ２１の回転側に取付けられる弾性板６の上端縁は、螺旋３の裏面（下面）側に接近させているが、下端縁は螺旋３の表面（上面）側との間に適宜の搬送間隔２３を形成している。しかも、これら前・後に隣接して配置される弾性板６の相互間には、下側の弾性板６の上端縁と上側の弾性板６の下端縁との回転軌跡線が重合代Ｆを有する形態に設定する。そして、これら各弾性板６の先端部５を取付ラグ２１よりも長く外周へ突出させて前記螺旋３回転径外周の間隔部Ｃに張出させて、選別筒２の内周面に摺接させる。この弾性板６の先端部は、選別筒２の内周面に摺接されて円弧状曲面に湾曲して、選別筒２内周面に対する摺接面積を広くし、揚穀穀粒を軽く選別長孔１側へ押圧するものである。又、弾性板６の取付ラグ２１の送面側に重合して取付けるか、又は裏面側に取付けることも可能である。
【００１６】
選別筒２において、図７のように螺旋３の回転Ａ方向に対して、選別長孔１終端３６よりも手前側に、選別筒２の外周面を高くするように帯板形態の案内部材２８を溶接等によって一体に取付ける。この帯板の長手方向を前記選別長孔１の並列方向に沿わせて、この板端縁３７を選別長孔１終端３６部外周側を覆うようにして取付け、この選別長孔１外側に交差させている。このような選別筒２では、図８に示すように選別長孔１の孔幅よりもやや大きめの穀粒Ｇは、凹条部１８内に沿って螺旋３の回転Ａ方向へ案内移動され、この穀粒が選別長孔１内に嵌合して直交状に起立姿勢となって、多数粒が長孔１内に沿って並んで嵌合移動されて、先端部の穀粒が長孔１の終端３６部に係止される。この状態となったときは、選別長孔１が目詰り状態となるが、このようにして選別長孔１の終端３６部に移動される穀粒は、図９に示すようにこの選別筒２の外側面に位置する案内部材２８の端縁３７に当接して回動される。この穀粒の回動によって選別長孔１から外されて、選別筒２の内周側へ押出されて、目詰り状態を解除する。このような案内部材２８、及びこの端縁３７部等を図１１に示すようにゴム材の如き弾性体によって構成する形態では、この弾性体によって当接穀粒の回動移動性を高めて、選別長孔１からの脱出性を良くし、しかも、強に押圧力を受けても穀粒に対する圧力損傷を軽減することができる。
【００１７】
このような案内部材２８の端縁３７は、図１０（ｂ）のように選別筒２の外周面に対して鋭角θに傾斜の傾斜面２９を形成して、この傾斜面２９に押圧される穀粒Ｇを選別筒２の内側へ案内させるように構成している。
又、図１０（ａ）は前記案内部材２８を丸棒断面形態にしたものである。この丸棒断面の円弧曲面が前記選別長孔１の終端３６部外周にのぞんで、前記傾斜θと同様の傾斜面２９を形成することができる。この傾斜面２９に案内されて穀粒が選別筒２内部側へ外されて、目詰りを解除することができる。
【００１８】
このような案内部材２８を設けた選別筒２は、凹条部１８内に沿って案内される穀粒Ｇが、案内部材２８の端縁３７に当接して回動され、目詰り状態が解除され易いのだが、仮に、この穀粒Ｇが案内部材２８の端縁３７部分に目詰りした場合にも穀粒が回動された斜めの状態で目詰りすることとなり、次に案内されてくる穀粒Ｇを、目詰りした穀粒Ｇの斜め面によって選別筒２内部側へスムーズに案内するので、多数粒が選別長孔１に沿って並んで嵌合された状態、すなわち目詰り状態が発生することが極めて少なくなる。
【００１９】
前記選別筒２の外周部には、外筒２６を設けて被覆し、選別長孔１から漏出する屑粒を受けて流下案内し、この外筒２６の下端部に設ける屑粒シュータ１２から取出すことができる。前記半筒２Ａ，２Ｂを上メタル１５、下メタル１６間にわたって取付けて選別筒２を構成するときは、これら半筒２Ａ、２Ｂの一端部に形成の穴４０間にわたってクリップリング２７を嵌合させて連結しておき、この状態で半開き形態とする選別筒２を螺旋３、及び上・下メタル１５，１６の外周部に嵌合支持させてこれら選別筒２の相対向する接合縁１７部を接合重合させて、各ボルト穴２５にボルト、ナット２０を挿通して締付ける。すなわち半開可能の選別筒２を螺旋３周りに掛け渡す形態にして組立することができるため、選別筒２の組立構成を簡単、容易にし、安全に行うことができる。又、これら半筒２Ａ，２Ｂを分解して螺旋３周部から取外すときもグリップリング２７が嵌合してあるので容易に分解できる。
【００２０】
前記スタンド１０によって揚穀選別機７を床面上に立設する。このとき選別筒２は床面に対して適宜の傾斜角のもとに設置することができ、この角度を調節αすることができる。そして、この供給ホッパー１１を前記玄米選別機１４の取出口下にのぞませる。この玄米選別機１４の取出される屑粒を含む玄米粒は、回転螺旋３によって揚穀されると共に、この揚穀搬送に伴って小粒や、屑粒等が選別長孔１から漏出されて、屑粒シュータ１２から取出される。又、残された整粒は選別筒２内を上昇されて、上端部の整粒シュータ１３から取出される。このような選別筒２内での揚穀、選別作用では、螺旋３の回転Ａによって掬い上げ搬送される穀粒は、選別筒２の内周面に沿って押し上げられるように搬送される。選別筒２の下端部近くでは供給ホッパー１１から供給される量が多く、揚穀量が十分にあるため、前記弾性板６の下端縁と螺旋３の搬送面との間の搬送間隔２３を越えて多く揚送される穀粒は、この弾性板６と選別筒２の内周面との間に挟持されるよう案内されて、この弾性板６の先端部５によって選別筒２内周面へ押圧される。このとき、特に粒径の小さい屑粒は、選別長孔１内へ嵌合したり、この凹条部１８内に位置されて残留され易く、弾性板６先端部５の押圧力を受け易い状態にある。このため、屑粒はこの弾性板６の押圧力を受けて選別長孔１から外側へ押出排出される。また、粒径の大きい整粒は、選別長孔１から漏出されないで、選別筒２内の螺旋３の搬送面に滑落し易く、この搬送面による掬上搬送作用によって揚穀される。
【００２１】
又、このような螺旋３の回転Ａによって穀粒の揚穀搬送作用と、選別長孔１からの屑粒の漏出選別作用が行われるが、これらの作用と同時に弾性板６の先端部５が選別筒２の内周面に摺接して、選別長孔１部に位置する屑粒を外側へ押出して目詰りのないように掃除する。従って、選別長孔１は常時選別漏出の行われ易い状態に維持されて、選別効率を高くすることができる。又、この螺旋３のピッチに伴って間歇的に配置される弾性板６は、前後端部の回転域を相互にオーバーラップさせる形態であるから、この先端部５の選別筒２周面に対する摺接域を選別筒２の選別長孔１全長にわたって設定させることができ、全長域にわたる選別長孔１の屑粒詰りをなくして、選別効率を高めることができ、従って、又この選別筒２の径を小さくして簡素な構成とすることができる。
【００２２】
又、各弾性板６の先端縁部には、適宜深さの切目、乃至スリット２４を形成して、前記選別筒２内周面の各凹条部１８内、乃至選別長孔１内への嵌合摺接作用を行わせ易くすることによって、屑粒の選別、排出作用を良好に行わせる構成とすることも可能である。
【００２３】
前記したように、この揚穀選別機７をのぞませて二次選別作業する形態に設置される一次選別作業用の玄米選別機１４は、円筒状の選別筒と、この選別筒内で回転する螺旋とを縦方向に設けて、籾摺機から取出される玄米を螺旋によって上方へ搬送しながら選別筒の選別孔から外周へ漏出して選別するもので、上部には選別された大整粒玄米を収容する整粒タンク３０を有して、この下部のシャッター３１を開くことによって、袋詰台３２上に支持される袋３３に供給収容させることができる。３４は袋口ホルダー、３５は選別筒外周に漏出した小整粒を含む玄米を取出すシュータである。このシュータ３５を前記揚穀選別機７の供給ホッパー１１にのぞませることができる。
【図面の簡単な説明】
【００２４】
【図１】揚穀選別機の側面図。
【図２】その一部の拡大図。
【図３】その断面図。
【図４】その選別筒部の一部斜視図。
【図５】揚穀選別機の使用例を示す側面図。
【図６】揚穀選別機の使用例を示す側面図。
【図７】選別筒一部の展開正面図、側面図、断面図。
【図８】一部別例を示す選別筒一部の断面図。
【図９】一部別例を示す選別筒一部の断面図。
【図１０】一部別例を示す選別筒一部の断面図。
【図１１】一部別例を示す選別筒一部の断面図。
【図１２】選別筒部の構成を示す斜視図。
【符号の説明】
【００２５】
１    選別長孔
２    選別筒
３    回転螺旋
２８  案内部材
２９  傾斜面
Ａ    回転
【図１】
0005004172.tif 000002
【図２】
0005004172.tif 000003
【図３】
0005004172.tif 000004
【図４】
0005004172.tif 000005
【図５】
0005004172.tif 000006
【図６】
0005004172.tif 000007
【図７】
0005004172.tif 000008
【図８】
0005004172.tif 000009
【図９】
0005004172.tif 000010
【図１０】
0005004172.tif 000011
【図１１】
0005004172.tif 000012
【図１２】
0005004172.tif 000013